(57)【要約】【課題】米を研ぐことの本来の目的、すなわち、米の表面に付着している糠その他の不要成分を除去することを実行可能な米研ぎ器具を提供する。【解決手段】米研ぎ器具(１００)は、把手(１１０)と、少なくとも二つの支持アーム(１２０Ａ， １２０Ｂ)と、からなり、支持アーム(１２０Ａ， １２０Ｂ)には、支持アームの長さ方向と直交する方向に放射状に延びる複数の凸状体(１２３)が形成されている。【選択図】図１
0003168015.tif 000002
【実用新案登録請求の範囲】
【請求項１】
把手と、
前記把手の一端から前記把手から離れる方向に延びる少なくとも二つの支持アームと、
からなる米研ぎ器具であって、
前記支持アームには、前記支持アームの長さ方向と直交する方向に放射状に延びる複数の凸状体が形成されていることを特徴とする米研ぎ器具。
【請求項２】
前記支持アームの先端から前記支持アームの長さ方向と同方向に延びる複数の凸状体が形成されていることを特徴とする請求項１に記載の米研ぎ器具。
【請求項３】
前記支持アームは、一端が前記把手の一端と接続する第一部分と、前記第一部分の他端と接続する第二部分と、からなり、
前記第二部分の横断面積は前記第一部分の横断面積よりも大きく、
前記凸状体は前記第二部分に形成されていることを特徴とする請求項１または２に記載の米研ぎ器具。
【請求項４】
前記支持アームに被せることができる可撓性材料からなる支持アームカバーをさらに備えており、前記凸状体は前記支持アームカバーの表面に形成されていることを特徴とする請求項１乃至３の何れか一項に記載の米研ぎ器具。
【考案の詳細な説明】
【技術分野】
【０００１】
本考案は米を研ぐ際に用いる米研ぎ器具に関する。
【背景技術】
【０００２】
米研ぎ器具の一つとして特開平６−１５４１０５号に記載されているものがある。
【０００３】
図４は同公報に記載されている米研ぎ器具の斜視図である。
【０００４】
図４に示すように、この米研ぎ器具５００は、丸棒からなる把手５０１と、把手５０１の一端に取り付けられた円形のプレート５０２と、プレート５０２に取り付けられた複数のアーム５０３と、からなり、アーム５０３には穴５０４が形成されている。
【０００５】
水に浸した米の中にアーム５０３を差し込み、米研ぎ器具５００を、例えば、円運動させることにより、米を研ぐことができる。
【考案の開示】
【考案が解決しようとする課題】
【０００６】
しかしながら、図４に示した従来の米研ぎ器具５００を用いて米を研いだとしても、アーム５０３が米の間を単に通過するにすぎず、米はアーム５０３の移動に伴ってアーム５０３とともに水中を移動しているにすぎなかった。
【０００７】
このため、従来の米研ぎ器具５００によっては、米を研ぐことの本来の目的、すなわち、米の表面に付着している糠その他の不要成分を十分に除去することを実行することは不可能であった。
【０００８】
本考案はこのような従来の米研ぎ器具における問題点に鑑みてなされたものであり、米を研ぐことの本来の目的、すなわち、米の表面に付着している糠その他の不要成分を除去することを実行可能な米研ぎ器具を提供することを目的とする。
【課題を解決するための手段】
【０００９】
上記の目的を達成するため、本考案は、把手と、前記把手の一端から前記把手から離れる方向に延びる少なくとも二つの支持アームと、からなる米研ぎ器具であって、前記支持アームには、前記支持アームの長さ方向と直交する方向に放射状に延びる複数の凸状体が形成されていることを特徴とする米研ぎ器具を提供する。
【００１０】
さらに、本考案に係る米研ぎ器具においては、前記支持アームの先端から前記支持アームの長さ方向と同方向に延びる複数の凸状体が形成されていることが好ましい。
【００１１】
本考案に係る米研ぎ器具においては、前記支持アームは、一端が前記把手の一端と接続する第一部分と、前記第一部分の他端と接続する第二部分と、からなり、前記第二部分の横断面積は前記第一部分の横断面積よりも大きく、前記凸状体は前記第二部分に形成されていることが好ましい。
【００１２】
本考案に係る米研ぎ器具においては、前記凸状体は前記支持アームに対して着脱自在であることが好ましい。例えば、本考案に係る米研ぎ器具は前記支持アームに被せることができる可撓性材料からなる支持アームカバーをさらに備えており、前記凸状体は前記支持アームカバーの表面に形成されているものとすることができる。
【考案の効果】
【００１３】
図４に示した従来の米研ぎ器具５００によれば、米研ぎ器具５００を動かしても、アーム５０３が米の間を単に通過するにすぎず、米はアーム５０３の移動に伴ってアーム５０３とともに水中を移動しているにすぎなかった。
【００１４】
これに対して、本考案に係る米研ぎ器具によれば、米が凸状体の間に入ったり、出たりする運動を行うため、米が凸状体と接触する頻度が大きくなり、凸状体に接触するたびに米の表面の糠が削ぎ落とされる。このように、本考案に係る米研ぎ器具によれば、米を研ぐことの本来の目的、すなわち、米の表面に付着している糠その他の不要成分を除去することを実行することが可能になる。
【００１５】
また、支持アームの先端から支持アームの長さ方向と同方向に延びる複数の凸状体を形成することにより、手のひらで米を押すことにより行う押し洗いと同様の動作を行うことが可能になり、米の表面に付着している糠その他の不要成分をさらに除去することが可能になる。
【００１６】
また、凸状体を支持アームに対して着脱自在であるように構成することにより、凸状体を所望の凸状体に交換することが可能になる。例えば、凸状体が経年使用により劣化した場合（例えば、折れた場合）、凸状体の配置密度を変えたい場合、凸状体の硬度を変えたい場合などには、所望の凸状体に変更することが可能になる。
【図面の簡単な説明】
【００１７】
【図１】本考案の第一の実施形態に係る米研ぎ器具の平面図である。
【図２】本考案の第二の実施形態に係る米研ぎ器具の平面図である。
【図３】本考案の第三の実施形態に係る米研ぎ器具の部分的な斜視図である。
【図４】従来の米研ぎ器具の斜視図である。
【考案を実施するための最良の形態】
【００１８】
（第一の実施形態）
図１は本考案の第一の実施形態に係る米研ぎ器具１００の平面図である。
【００１９】
図１に示すように、本実施形態に係る米研ぎ器具１００は、真っ直ぐな棒状の把手１１０と、把手１１０の一端から把手１１０から離れる方向に、かつ、把手１１０の長さ方向と同一方向に延びる二つの支持アーム１２０Ａ、１２０Ｂと、から構成されている。
【００２０】
二つの支持アーム１２０Ａ、１２０Ｂの各々は、第一部分１２１と、第二部分１２２とから構成されている。
【００２１】
第一部分１２１の一端は把手１１０の一端と接続しており、他端において第二部分１２２と接続している。
【００２２】
第二部分１２２の横面積は第一部分１２１の横面積よりも大きく設定されている。例えば、第一部分１２１及び第二部分１２２をともに円柱（横断面が円）として構成する場合には、第二部分１２２の半径は第一部分１２１の半径よりも大きく設定される。あるいは、第一部分１２１及び第二部分１２２の横断面をともに楕円形として構成する場合には、例えば、第二部分１２２の長径は第一部分１２１の長径よりも長く設定される。
【００２３】
二つの支持アーム１２０Ａ、１２０Ｂの各々の第二部分１２２の外側表面には、支持アーム１２０Ａ、１２０Ｂの長さ方向と直交する方向に放射状に延びる複数の凸状体１２３が形成されている。
【００２４】
凸状体１２３は縦横両方向において同一ピッチで配置されている。凸状体１２３の各々は円柱形状をなしており、全て同一の高さを有している。
【００２５】
凸状体１２３は可撓性材料、例えば、シリコンでつくられている。
【００２６】
なお、二つの支持アーム１２０Ａ、１２０Ｂが相互に向かい合う領域においては、凸状体１２３は形成されていない。
【００２７】
以上のような構造を有する本実施形態に係る米研ぎ器具１００は以下のようにして使用される。
【００２８】
水に浸した米の中に支持アーム１２０Ａ、１２０Ｂの各々の第二部分１２２を差し込んだ後、米研ぎ器具１００を水の中で任意の軌跡に沿って動かす。例えば、米研ぎ器具１００に円運動、往復直線運動、十字型運動などの任意の運動を行わせる。
【００２９】
図４に示した従来の米研ぎ器具５００によれば、米研ぎ器具５００を動かしても、アーム５０３が米の間を単に通過するにすぎず、米はアーム５０３の移動に伴ってアーム５０３とともに水中を移動しているにすぎなかった。
【００３０】
これに対して、本実施形態に係る米研ぎ器具１００によれば、米が凸状体１２３の間に入ったり、出たりする運動を行うため、米が凸状体１２３と接触する頻度が大きくなり、凸状体１２３に接触するたびに米の表面の糠が削ぎ落とされる。
【００３１】
このように、本実施形態に係る米研ぎ器具１００によれば、米を研ぐことの本来の目的、すなわち、米の表面に付着している糠その他の不要成分を除去することを実行することが可能になる。
【００３２】
なお、本実施形態に係る米研ぎ器具１００は上記の構成に限定されるものではなく、種々の改変を行うことが可能である。
【００３３】
例えば、本実施形態に係る米研ぎ器具１００は二つの支持アーム１２０Ａ、１２０Ｂを有するものとして構成されているが、支持アームの数は２には限定されない。３以上の任意の数の支持アームを形成することが可能である。
【００３４】
また、本実施形態に係る米研ぎ器具１００においては、二つの支持アーム１２０Ａ、１２０Ｂは把手１１０の長さ方向と平行に延びるものとされているが、例えば、３以上の数の支持アームを形成する場合には、各支持アームを把手１１０の長さ方向に対して傾斜させ、各支持アームの先端に近い位置ほど、把手１１０の長さ方向の中心線から離れるように形成することが可能である（この場合には、各支持アームは「ハ」の字型に開くように配置される）。
【００３５】
また、本実施形態に係る米研ぎ器具１００においては、各支持アーム１２０Ａ、１２０Ｂは第一部分１２１と第二部分１２２とから構成されるものとされているが、各支持アーム１２０Ａ、１２０Ｂを同一横断面の形状とすることも可能である。
【００３６】
本実施形態に係る米研ぎ器具１００においては、凸状体１２３は可撓性材料（例えば、シリコン）からつくられているが、可撓性材料以外の材料、例えば、剛性材料（例えば、樹脂または金属）でつくることも可能である。
【００３７】
また、本実施形態に係る米研ぎ器具１００においては、把手１１０は真っ直ぐな棒状のものとして構成されているが、例えば、把手１１０をＬ字型に構成することも可能である。把手１１０をＬ字型に構成することによって、把手１１０が真っ直ぐな棒状の場合と比較して、米に対して把手１１０を持つ向きが異なるため、異なる角度で米を研ぐことが可能になる。
【００３８】
（第二の実施形態）
図２は本考案の第二の実施形態に係る米研ぎ器具２００の平面図である。
【００３９】
図２に示すように、本実施形態に係る米研ぎ器具２００は、第一の実施形態に係る米研ぎ器具１００と比較して、複数の凸状体１２４を追加的に備えている。この点を除いて、本実施形態に係る米研ぎ器具２００は第一の実施形態に係る米研ぎ器具１００と同一の構造を有している。
【００４０】
図２に示すように、複数の凸状体１２４は、各支持アーム１２０Ａ、１２０Ｂの第二部分１２２の先端側の端面（支持アーム１２０Ａ、１２０Ｂの長さ方向と直交する方向に延びる面）に形成されており、各支持アーム１２０Ａ、１２０Ｂの長さ方向と同方向に延びている。
【００４１】
本実施形態に係る米研ぎ器具２００によれば、第一の実施形態に係る米研ぎ器具１００による効果の他に、米を手のひらで押すことにより行う押し洗いと同様の動作を行うことが可能になり、第一の実施形態に係る米研ぎ器具１００と比較して、米の表面に付着している糠その他の不要成分をさらに除去することが可能になる。
【００４２】
（第三の実施形態）
図３は本考案の第三の実施形態に係る米研ぎ器具３００の部分的な斜視図である。
【００４３】
本実施形態に係る米研ぎ器具３００においては、凸状体１２３は各支持アーム１２０Ａ、１２０Ｂに対して着脱自在に構成されている。
【００４４】
具体的には、図３に示すように、本実施形態に係る米研ぎ器具３００は、各支持アーム１２０Ａ、１２０Ｂの第二部分１２２は、支持アーム本体３０１と、支持アーム本体３０１に被せることができる可撓性材料からなる支持アームカバー３０２と、から構成されている。
【００４５】
支持アーム本体３０１は円柱形状をなしており、また、支持アームカバー３０２はほぼ円柱形状の空洞を有しており、支持アーム本体３０１に密に被せることが可能である形状をなしている。
【００４６】
凸状体１２３は支持アームカバー３０２の表面に支持アームカバー３０２の一部として形成されている。
【００４７】
支持アームカバー３０２は、例えば、シリコンでつくられている。
【００４８】
本実施形態に係る米研ぎ器具３００によれば、凸状体１２３が形成されている支持アームカバー３０２を交換することが可能である。このため、凸状体１２３が経年使用により劣化した場合（例えば、折れた場合）、凸状体１２３の配置密度を変えたい場合、凸状体１２３の硬度を変えたい場合などには、所望の凸状体１２３が形成されている支持アームカバー３０２を支持アーム本体３０１に被せることができる。
【００４９】
このように、本実施形態に係る米研ぎ器具３００によれば、凸状体１２３を所望の凸状体１２３に交換することが可能である。
【００５０】
なお、本実施形態に係る米研ぎ器具３００においては、各支持アーム１２０Ａ、１２０Ｂの第二部分１２２は、支持アーム本体３０１と支持アームカバー３０２とから構成されるものとしたが、他の構成を採用することにより、凸状体１２３が各支持アーム１２０Ａ、１２０Ｂに対して着脱自在であるようにすることも可能である。
【００５１】
例えば、各支持アーム１２０Ａ、１２０Ｂの第二部分１２２が第一部分１２１に対してネジ式で接続することにより、凸状体１２３が各支持アーム１２０Ａ、１２０Ｂに対して着脱自在とすることも可能である。
【符号の説明】
【００５２】
１００  本考案の第一の実施形態に係る米研ぎ器具
１１０  把手
１２０Ａ、１２０Ｂ  支持アーム
１２１  第一部分
１２２  第二部分
１２３  凸状体
１２４  凸状体
２００  本考案の第二の実施形態に係る米研ぎ器具
３００  本考案の第三の実施形態に係る米研ぎ器具
３０１  支持アーム本体
３０２  支持アームカバー
【図１】
0003168015.tif 000003
【図２】
0003168015.tif 000004
【図３】
0003168015.tif 000005
【図４】
0003168015.tif 000006